【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
複数の可変表示部で複数種類の識別情報を可変表示する可変表示装置を備え、該可変表示装置の前記複数の可変表示部に表示される識別情報の表示組合せが予め定めた特定表示結果となったときに特定遊技状態を発生する弾球遊技機において、
前記可変表示装置に表示される表示結果を前記特定表示結果とするか否かと、前記特定表示結果のうち予め定められた特別表示結果とするかと、を事前に決定する事前決定手段と、
該事前決定手段で決定された表示結果が前記特別表示結果である場合に当該特別表示結果による前記特定遊技状態の終了後に、前記特定遊技状態となる確率を通常確率から高確率とする特別遊技状態を発生させる特別遊技状態発生手段と、
前記特定遊技状態となる信頼度の異なる複数種類のリーチ変動態様の選択率が前記通常確率時と前記高確率時とで異なるように割り振られる値を用いていずれかのリーチ変動態様を選択するリーチ変動態様選択手段と、
該リーチ変動態様選択手段で選択したリーチ変動態様で前記複数の可変表示部を変動制御するリーチ変動制御手段と、
を備え、
前記特別遊技状態において前記リーチ変動態様選択手段の選択するリーチ変動態様は、前記特別表示結果以外の特定表示結果を一旦停止表示した後、その特定表示結果を構成する表示組合せの一部乃至全部の識別情報を再変動する再変動リーチ変動態様を含むことを特徴とする弾球遊技機。
【手続補正２】
【補正対象書類名】明細書
【補正対象項目名】全文
【補正方法】変更
【補正の内容】
【発明の詳細な説明】
【発明の名称】弾球遊技機
【技術分野】
【０００１】
本発明は、複数の可変表示部で複数種類の識別情報を可変表示する可変表示装置を備え、該可変表示装置の前記複数の可変表示部に表示される識別情報の表示組合せが予め定めた特定表示結果となったときに特定遊技状態を発生する弾球遊技機に関するものである。
【背景技術】
【０００２】
従来、一般に、弾球遊技機としてのパチンコ遊技機に設けられる可変表示装置は、始動入賞口への打玉の入賞に伴って可変表示部での図柄変動を開始し、その可変表示部の表示結果が予め定めた大当り図柄（特定表示結果）となったときに特定遊技状態を発生して遊技者に大量の賞球を付与するようになっていた。このような可変表示装置を備えた遊技機には、確変図柄等の予め定めた特定の図柄で大当りすると、特定遊技状態の発生に加えて確率変動等の特別遊技状態を発生するものが提案されていた。なお、この特別遊技状態とは、通常の遊技状態に比べて特定遊技状態の発生率を向上させた遊技状態である。また、特別遊技状態の発生を可能にした遊技機では、一般的に、特別遊技状態中に再度特定の大当り図柄（確変図柄等）で大当りした場合、その時点で特別遊技状態の発生期間を延長することにより射幸性を向上するようになっていた。
【発明の開示】
【発明が解決しようとする課題】
【０００３】
ところで、上記従来のような特定遊技状態の発生率が高い特別遊技状態中では、遊技者の関心は、大当りするか否かよりも特定の大当り図柄で大当りするか否か、言い換えれば特別遊技状態中に再度特定の大当り図柄で大当りして特別遊技状態の発生期間が延長されるか否かにあった。このため、特別遊技状態中に特定以外の大当り図柄で大当りした場合、遊技者は、特定遊技状態の発生を喜ぶよりも、むしろ特別遊技状態の延長が行われなかったことを嘆く傾向にあった。本発明は、上記した事情に鑑みなされたもので、その目的とするところは、特別遊技状態中の図柄変動において特定条件が成立すると、特定以外の大当り図柄を一旦停止表示した後に図柄を再変動する制御を行うことで、遊技の射幸性を向上し得る弾球遊技機を提供することにある。
【課題を解決するための手段】
【０００４】
特別遊技状態においてリーチ変動態様選択手段の選択するリーチ変動態様は、特別表示結果以外の特定表示結果を一旦停止表示した後、その特定表示結果を構成する表示組合せの一部乃至全部の識別情報を再変動する再変動リーチ変動態様を含んでいるので、特別遊技状態中の遊技者に対して、特別遊技状態の期間延長がないと一旦思わせた後に再変動することで、特別遊技状態の期間延長の可能性が残されたことを痛感させることができ、ひいては遊技の射幸性が向上できる。
【０００５】
また、前記再変動リーチ変動態様は、前記特定表示結果を構成する前記識別情報をその他の識別情報との間で複数回切り替え表示することで再変動を行う構成としたり、あるいは前記識別情報を再変動した後に前記特定表示結果以外の表示結果を導出する構成とすることができる。
【０００６】
なお、図１に示す特別可変表示装置３０により、複数の可変表示部（特別図柄表示部３３ａ〜３３ｃ）で複数種類の識別情報（特別図柄）を可変表示する本発明の可変表示装置の一例を構成し、該可変表示装置の識別情報の表示組合せが予め定めた特定表示結果（大当り図柄）となったときに導出されると特定遊技状態を発生するものである。また、図２（Ａ）に示すＣ＿ＲＮＤ１、Ｃ＿ＲＮＤ＿Ａにより、前記可変表示装置に表示される表示結果を前記特定表示結果とするか否かと、前記特定表示結果のうち予め定められた特別表示結果とするかと、を事前に決定する本発明の事前決定手段の一例を構成している。
【０００７】
また、図１１（Ｂ）に示す確率変動制御により、該事前決定手段で決定された表示結果が前記特別表示結果（確変図柄）である場合に当該特別表示結果による前記特定遊技状態の終了後に、前記特定遊技状態となる確率を通常確率から高確率とする特別遊技状態（確率変動）を発生させる本発明の特別遊技状態発生手段の一例を構成している。
【０００８】
【０００９】
また、図９及び図１０に示すリーチ１〜４の値の割り振りにより、前記特定遊技状態となる信頼度の異なる複数種類のリーチ変動態様の選択率が前記通常確率時と前記高確率時とで異なるように割り振られる値を用いていずれかのリーチ変動態様を選択する本発明のリーチ変動態様選択手段の一例を示し、図７及び図８のリーチ１〜４の変動制御により、該リーチ変動態様選択手段で選択したリーチ変動態様で前記複数の可変表示部を変動制御する本発明のリーチ変動制御手段の一例を構成し、図８に示すリーチ３・４の変動制御により、前記特別表示結果以外の特定表示結果（通常図柄）を一旦停止表示した後、その特定表示結果を構成する一部乃至全部の識別情報を再変動する本発明の再変動リーチ変動態様の一例を構成している。
【００１０】
また、図８に示すリーチ４の変動パターンＦにより、前記特定表示結果を構成する識別情報（大当り該当図柄）をその他の識別情報（次の図柄）との間で複数回切り替え表示することで再変動を行う前記再変動リーチ変動態様の構成を例示している。
【００１１】
また、図８に示すリーチ３・４の変動制御により、前記識別情報を再変動した後に前記特定表示結果以外の表示結果（外れ図柄）を導出する前記再変動リーチ変動態様の構成を例示している。
【発明の効果】
【００１２】
本発明の構成において、特別遊技状態においてリーチ変動態様選択手段の選択するリーチ変動態様は、特別表示結果以外の特定表示結果を一旦停止表示した後、その特定表示結果を構成する表示組合せの一部乃至全部の識別情報を再変動する再変動リーチ変動態様を含んでいるので、特別遊技状態中の遊技者に対して、特別遊技状態の発生がないと一旦思わせた後に再変動することで、遊技の射幸性が向上できる。
【発明を実施するための最良の形態】
【００１３】
以下、図面を参照して本発明の実施形態について説明する。先ず、図１を参照して実施形態に係る弾球遊技機（図示ではパチンコ遊技機）の遊技盤１の構成について説明する。図１は、遊技盤１を示す正面図である。図１において、遊技盤１の表面には、発射された打玉を誘導するための誘導レール２がほぼ円状に植立され、該誘導レール２で区画された領域が遊技領域３を構成している。遊技領域３のほぼ中央には、左・中・右の特別図柄表示部３３ａ〜３３ｃで特別図柄の可変表示（以下、変動ともいう）を可能にする特別可変表示装置３０が配置されている。なお、特別可変表示装置３０の詳細な構成については後に詳述するものである。
【００１４】
特別可変表示装置３０の下方には、普通可変入賞球装置５及び特別可変入賞球装置９等の各種構成部材を遊技盤１に取り付けるための取付基板４が設けられている。取付基板４の中央上端部に配される普通可変入賞球装置５は、入賞した打玉を検出する始動玉検出器６を備えており、該始動玉検出器６での入賞玉の検出動作によって特別図柄の変動を許容するようになっている。また、普通可変入賞球装置５は、ソレノイド７によって垂直（通常開放）位置と傾動（拡大開放）位置との間で可動制御される一対の可動翼片８ａ・８ｂを備えており、いわゆるチューリップ型役物として構成されている。なお、可動翼片８ａ・８ｂの傾動（拡大開放）制御は、後述する普通図柄表示器３４での当り図柄の導出によって行われる。また、普通可変入賞球装置５への始動入賞は、可動翼片８ａ・８ｂが垂直（通常開放）位置のときでも可能である。また、このような始動入賞に基づく特別図柄の変動は、変動中を除いて所定回数（本実施形態では、４回）記憶され、その旨が後述する特別図柄記憶表示ＬＥＤ３６に表示される。
【００１５】
取付基板４の中央部には、遊技盤１の裏面側に入賞領域１０を設けた特別可変入賞球装置９が配置されている。この特別可変入賞球装置９は、ソレノイド１１の駆動に基づいて入賞領域１０を開閉する開閉板１２を備えることで、入賞領域１０の開閉制御を可能にしている。入賞領域１０内の左側端部には、入賞玉の検出動作により開閉板１２を再度開成（後述する継続権の成立）させる特定玉検出器１３が設けられ、入賞領域１０内のほぼ中央部には、入賞玉数を検出するための入賞玉検出器１４が設けられている。また、入賞領域１０の内壁には、継続権の成立を報知する特定玉入賞表示ＬＥＤ１５が設けられている。なお、特別可変入賞球装置９の左右側方には、それぞれ飾りＬＥＤ１６と入賞口１７とが設けられている。
【００１６】
しかして、上記のように構成される特別可変入賞球装置９は、以下のように作動する。即ち、打玉が普通可変入賞球装置５に入賞して始動玉検出器６をＯＮさせると、特別可変表示装置３０が変動を開始し、一定時間が経過すると、例えば左・右・中の順で特別図柄が確定され、その確定された図柄の組み合せが所定の大当り組合せ（同一図柄のゾロ目）となったときに特定遊技状態となる。そして、この特定遊技状態においては、特別可変入賞球装置９の開閉板１２が所定期間（例えば、２９秒）あるいは所定個数（例えば、１０個）の入賞玉が発生するまで開放（開放サイクル）するように設定され、その開放している間遊技盤１の表面を落下する打玉を受け止めるようになっている。また、受け止められた打玉が特定玉検出器１３をＯＮすると、再度上記した開放サイクルを繰り返し、特定玉検出器１３がＯＮする毎に継続権が成立して開放サイクルを最高１６回繰り返すことができるようになっている。
【００１７】
なお、本発明の特定遊技状態は、上記に限らず以下に示す（１）〜（５）の制御のうちいずれか１つの制御又は組合せた制御を実行する状態であればよい。
（１）  打玉の入賞を容易にする第一の状態と、打玉が入賞できない又は入賞し難い第二の状態と、に変化可能な可変入賞球装置に対して所定時間連続的又は間欠的に第一の状態にする制御
（２）  特定の入賞又は通過領域での打玉の検出を介在させ、打玉の入賞を容易にする第一の状態と、打玉が入賞できない又は入賞し難い第二の状態と、に変化可能な可変入賞球装置に対して所定時間連続的又は間欠的に第一の状態にする制御
（３）  打玉の入賞に関わらず所定数の景品玉を直接排出する制御
（４）  有価価値を有する記憶媒体（カードやレシート等）に対して有価数を加算する制御
（５）  得点があることに基づいて遊技可能な弾球遊技機に対して得点を付与する制御。
【００１８】
また、特別可変表示装置３０の左側方には、通過口１８ａが形成されてなる通過口部材１８が配置されている。通過口部材１８の通過口１８ａは、その上端開口から受け入れた打玉を前記普通可変入賞球装置５側に誘導放出する通路形状をなしており、その通路途中には通過玉検出器１９が設けられている。この通過玉検出器１９は、通過玉の検出動作によって普通図柄表示器３４で表示される普通図柄の変動を許容するようになっている。また、遊技領域３を含む遊技盤１の表面には、上記した構成以外にも、飾りランプ２０、風車ランプ２１ａを内蔵した風車２１、袖ランプ２２ａを内蔵した入賞口２２、サイドランプ２３ａを内蔵したサイドランプ飾り２３、アウト口２４、バック玉防止部材２５等が設けられている。さらに、パチンコ遊技機には、特定遊技状態時あるいは図柄変動時に点灯又は点滅してその旨を報知する遊技効果ランプ及び遊技効果ＬＥＤと効果音を発生するスピーカ（共に図示しない）とが設けられている。
【００１９】
次に、本実施形態の要部を構成する特別可変表示装置３０の構成について説明する。特別可変表示装置３０は、遊技盤１の表面に取り付けられる取付基板３１を有し、該取付基板３１には、長方形状の窓枠部３２が形成されている。そして、この窓枠部３２の後方には、左・中・右の各特別図柄を個々に可変表示し得る特別図柄表示部３３ａ〜３３ｃを有するＬＣＤ表示器３３が臨設されている。また、窓枠部３２の上方には、普通図柄表示器３４、普通図柄記憶表示ＬＥＤ３５、特別図柄記憶表示ＬＥＤ３６、及び飾りＬＥＤ３７が設けられ、窓枠部３２の左右側方には、各飾りＬＥＤ３８・３９が設けられている。一方、窓枠部３２の下方には、各飾りＬＥＤ４０・４１が設けられている。なお、普通図柄表示器３４は、前述したように普通図柄が当り図柄となったときに、普通可変入賞球装置５の可動翼片８ａ・８ｂを所定時間が経過するまで拡大開放制御するようになっている。また、この普通図柄の変動は、変動中を除いて所定回数（本実施形態では、４回）記憶され、その旨が普通図柄記憶表示ＬＥＤ３５に表示される。
【００２０】
次に、特別可変表示装置３０による図柄の変動動作について図２乃至図１０に示すタイムチャート及び説明図等を参照して説明する。先ず、特別可変表示装置３０での図柄変動に用いられるランダム数について説明する。特別可変表示装置３０での図柄変動には、図２（Ａ）に示すような６種類のランダム数が使用されており、これらのランダム数は、大当り決定用のＣ＿ＲＮＤ１（０〜２２４）と、リーチ動作用のＣ＿ＲＮＤ＿ＲＣＨ（０〜９９）と、大当り表示用のＣ＿ＲＮＤ＿Ａ（０〜１５）と、左図柄表示用のＣ＿ＲＮＤ＿Ｌ（０〜１５）と、中図柄表示用のＣ＿ＲＮＤ＿Ｃ（０〜１５）と、右図柄表示用のＣ＿ＲＮＤ＿Ｒ（０〜１５）と、から構成されている。そして、図２（Ｂ）に示すように、Ｃ＿ＲＮＤ１で「７７」の値が抽出されて大当りと判定すると、Ｃ＿ＲＮＤ＿Ａ（０〜１５）の抽出値に基づいて大当りとなる図柄を決定し、この大当り図柄を各特別図柄表示部３３ａ〜３３ｃに表示する。一方、Ｃ＿ＲＮＤ１で「７７」以外の値が抽出されて外れと判定すると、Ｃ＿ＲＮＤ＿Ｌ・Ｃ・Ｒからの各抽出値に対応する図柄を外れ図柄として各特別図柄表示部３３ａ〜３３ｃに表示する。なお、Ｃ＿ＲＮＤ＿Ｌ・Ｃ・Ｒからの各抽出値が偶然にも大当り図柄と一致した場合には、Ｃ＿ＲＮＤ＿Ｌのデータから「１」を減算して外れ図柄にして表示するものである。また、上記Ｃ＿ＲＮＤ１の抽出に伴う当り外れの判定は、図柄の当り確率が通常時のものであり、確率変動時（高確率時）にはＣ＿ＲＮＤ１の「７７〜８５」の値が大当り決定用のランダム数となる。
【００２１】
上記Ｃ＿ＲＮＤ＿Ｌ・Ｃ・Ｒの抽出値「０〜１５」に対応する左・中・右の特別図柄は、図３に示すように、それぞれ「０〜９・Ａ・Ｅ・Ｆ・Ｈ・Ｊ・Ｐ」の１６図柄から構成されている。また、Ｃ＿ＲＮＤ＿Ａの抽出値「０〜１５」に対応する大当り図柄は、図４に示す通りであり、左・中・右の各列において同一図柄で揃った組合せである。なお、このうち「３」「５」「７」「９」のいずれかで揃った大当り図柄（Ｃ＿ＲＮＤ＿Ａの抽出値が「０〜３」のとき）は、前述した特定遊技状態の発生に加えて確率変動を実行する確変図柄となっている。また、以下の説明では、この確変図柄以外の大当り図柄を通常図柄と称する。
【００２２】
特別可変表示装置３０による具体的な図柄の変動動作は、図６乃至図８のタイムチャートに示す通りである。なお、図柄変動は、図５（Ａ）の一覧表図に示すパターンに基づいて行われる。変動パターンＡは、一定の速度で変動（１６．７ｍｓに１図柄変動）するパターンであり、変動パターンＢは、除々に減速して停止（３図柄変動）するパターンであり、変動パターンＣは、除々に減速（３図柄変動）するパターンであり、変動パターンＤは、一定の速度で変動（３３３．３ｍｓに１図柄変動、１周期５．０００秒）するパターンであり、変動パターンＥは、除々に減速して停止（１図柄変動）するパターンであり、変動パターンＦは、一旦停止の図柄と次の図柄の範囲で上下変動を繰り返すパターンである。
【００２３】
先ず、図６において、普通可変入賞球装置５に打玉が入賞し始動玉検出器６が始動信号を導出すると、その始動信号の立ち上がり時に、Ｃ＿ＲＮＤ１から数値を抽出してこれを格納する。なお、このようなＣ＿ＲＮＤ１からの数値の抽出及び格納は、始動記憶となる場合でもこれと同一時期に行われる（※１参照）。その後、始動信号の立ち上がりより０．００２秒後には、格納したＣ＿ＲＮＤ１の読み出し及び判定を行うと共に、Ｃ＿ＲＮＤ＿Ｌ・Ｃ・Ｒ、Ｃ＿ＲＮＤ＿ＲＣＨ、及びＣ＿ＲＮＤ＿Ａから数値を抽出する。そして、始動信号の立ち上がりより０．００４秒後に、左・中・右の全図柄を変動パターンＡにて変動開始させる。左図柄は、変動パターンＡにて６．２６０秒間変動された時点で停止図柄の３図柄手前がセットされ、その後０．４２０秒間変動パターンＢで変動されて停止表示される。右図柄は、変動パターンＡにて６．６８０秒間変動された時点で停止図柄の３図柄手前がセットされ、その後０．４２０秒間変動パターンＢで変動されて停止表示される。
【００２４】
一方、中図柄は、リーチ以外のときには、変動パターンＡにて７．１００秒間変動された時点で停止図柄の３図柄手前がセットされ、その後０．４２０秒間変動パターンＢで変動されて停止表示される。また、リーチ１での中図柄は、図７に示すように、変動パターンＡにて７．１００秒間変動された時点でリーチ図柄の３図柄手前がセットされ、次いで０．４２０秒間の変動パターンＣ及び５．６６４〜１０．３４０秒間の変動パターンＤにて変動された後に１．１８４秒間変動パターンＥで変動されて停止表示される。リーチ２での中図柄は、変動パターンＡにて７．１００秒間変動された後に０．４２０秒間変動パターンＣで変動され、次いで変動パターンＤにて５．６６４〜１０．３４０秒間変動された時点でリーチ図柄の３図柄手前がセットされる。その後は、変動パターンＣにて再度０．４２０秒間変動された後に０．１６７〜２．８３９秒間変動パターンＡで変動されて停止表示される。
【００２５】
また、リーチ３での中図柄は、図８に示すように、変動パターンＡにて７．１００秒間変動された後に０．４２０秒間変動パターンＣで変動され、次いで変動パターンＤにて５．６６４〜１０．３４０秒間変動された時点でリーチ図柄の３図柄手前がセットされる。その後は、変動パターンＢにて０．４２０秒間変動された後に大当り該当図柄で一旦停止表示され、０．４２０秒間一旦停止された後に０．１６７〜２．８３９秒間変動パターンＡで変動されて最終的な停止表示が行われる。リーチ４での中図柄は、変動パターンＡにて７．１００秒間変動された後に０．４２０秒間変動パターンＣで変動され、次いで変動パターンＤにて５．６６４〜１０．３４０秒間変動された時点でリーチ図柄の３図柄手前がセットされる。その後は、変動パターンＢにて０．４２０秒間変動された後に大当り該当図柄で一旦停止表示され、０．４２０秒間一旦停止された後に５．０００〜５．５００秒間変動パターンＦで変動されて最終的な停止表示が行われる。このように、リーチ３・４では、最終停止図柄である中図柄を一旦大当り該当図柄で停止表示することにより、あたかも大当り図柄が導出されたかのような印象を遊技者に与えるようになっている。
【００２６】
次に、上記したリーチ１〜４のリーチ選択設定について図９（通常確率時）及び図１０（確率変動時）に示す※２の一覧表図を参照して説明する。なお、図９及び図１０に示す※２の一覧表図は、それぞれハズレ時及び大当り時毎にリーチ種類を決定するための各条件１〜３（図５（Ｂ）参照）とＣ＿ＲＮＤ＿ＲＣＨの抽出値との振り分け表図であり、この振り分けを通常図柄と確変図柄とに分けて設定している。先ず、通常確率時におけるリーチ選択設定は、図９の※２に示すように、通常図柄と確変図柄とで同一の設定を行っている。具体的に、リーチ１・２に対しては、ハズレ時の出現を多くする一方で大当り時の出現を少なくすることによって大当り信頼度を低く設定している。また、リーチ３・４に対しては、ハズレ時の出現を少なくする一方で大当り時の出現を多くすることによって大当り信頼度を高く設定している。一方、確率変動時におけるリーチ選択設定は、図１０の※２に示すように、通常図柄と確変図柄とで個別の設定を行っている。具体的に、確変図柄に関しては前記通常確率時の通常図柄及び確変図柄と同一の設定を行っている。これに対して通常図柄においては、リーチ１・２でハズレ時の出現を少なくする一方、大当り時の出現を多くすることによって大当り信頼度を高く設定しており、リーチ３・４でハズレ時の出現を多くする一方、大当り時の出現を少なくすることによって大当り信頼度を低く設定している。このため、トータルとしてリーチ１・２では大当りし難く、リーチ３・４では大当りし易い印象を遊技者に与えた上で、確率変動時の通常図柄に対しては大当りし易い印象にあるリーチ３・４を多く出現させ、結果としてハズレとなるように設定している。
【００２７】
次に、大当り図柄の導出に伴って発生する特定遊技状態について図１１（Ａ）（Ｂ）を参照して説明する。図１１（Ａ）において、最終停止図柄である中図柄の変動が停止して特別可変表示装置３０に大当り図柄が導出されると、その微少時間（０．８００秒）後に大当りの確認判定が行われる。そして、その大当りの確認判定から７．３００秒が経過すると、特別可変入賞球装置９が所定時間（２９．５００秒）開放制御されることで特定遊技状態が発生される。また、特別可変入賞球装置９の開放終了後の所定時間（２．０００秒）は、役物連続作動装置の作動有効時間として設定されており、その時間内に特定玉検出器１３がＯＮすれば継続権が成立するように制御される。また、図１１（Ｂ）に示すように、特定遊技状態の発生を決定する大当り図柄が確変図柄（Ｃ＿ＲＮＤ＿Ａの抽出値が「０〜３」）として特別可変表示装置３０（同図中には、条件装置と記載）に導出された場合には、これに基づいて確変制御が実行される。確率変動の具体的な制御は、確変図柄による特定遊技状態（条件装置の作動）の終了を契機に当り確率を高確率に変動させ、その後、次の特定遊技状態が発生すると、これを契機に当り確率を通常確率に戻す。そして、このような特定遊技状態の終了及び発生を契機とした当り確率の変動を再度繰り返すことで合計２回の確変制御を行う。なお、確率変動中に更に確変図柄で大当りした場合（※４）には、その大当り以後２回の確変制御が行われるものである。
【００２８】
また、上記した特定遊技状態が終了した時点で特別図柄の始動記憶がある場合には、図１２（Ａ）に示すように、特別可変入賞球装置９の閉鎖から所定時間（１３．００２秒）後に、格納したＣ＿ＲＮＤ１の読み出し及び判定を行い、その０．００２秒後に全図柄の変動を開始させる。一方、図１２（Ｂ）に示すように、最終停止図柄である中図柄の変動が停止してハズレとなった時点で特別図柄の始動記憶がある場合には、中図柄の変動停止から所定時間（０．８００秒）後にハズレの確認判定を行う。そして、その確認判定から０．００２秒後にＣ＿ＲＮＤ１の読み出し及び判定を行い、中図柄の変動停止から所定時間（０．８０４秒）後に全図柄の変動を開始させる。
【００２９】
次に、前記普通図柄表示器３４に表示される普通図柄について図１３乃至図１５を参照して説明する。普通図柄は、図１３（Ｂ）に示すように、「Ａ・ｂ・Ｃ・ｄ・Ｌ・７」の６種類であり、これらの普通図柄に対しては、図１３（Ａ）に示すように、０．００２秒毎に１ずつ加算される当り決定用のＷＣ＿ＲＮＤ２（３〜１３）と、０．００２秒毎に１ずつ加算され且つ割り込み処理余り時間に１ずつ加算される普通図柄表示用のＷＣ＿ＲＮＤ＿Ｆ（０〜５）と、が設けられている。なお、ＷＣ＿ＲＮＤ＿Ｆ（０〜５）の各ランダム数は、「Ａ・ｂ・Ｃ・ｄ・Ｌ・７」の各普通図柄に対応して設けられている。そして、ＷＣ＿ＲＮＤ２（３〜１３）からのランダム数の抽出において、図１３（Ｃ）に示すように、「３」の値が抽出されて当りと判定されると、普通図柄表示器３４にＷＣ＿ＲＮＤ＿Ｆデータの「５」に対応する「７」の当り図柄を表示して普通可変入賞球装置５を拡大開放制御する。一方、ＷＣ＿ＲＮＤ２で「３」以外の値が抽出されてハズレと判定されると、ＷＣ＿ＲＮＤ＿Ｆデータの値を抽出し、この値に対応する外れ図柄を普通図柄表示器３４に表示する。なお、ＷＣ＿ＲＮＤ２でハズレと判定されたにも拘らず、ＷＣ＿ＲＮＤ＿Ｆで抽出された値が偶然にも当り図柄となる場合には、「Ａ」の外れ図柄を選択してこれを普通図柄表示器３４に表示する。また、上記ＷＣ＿ＲＮＤ２の抽出に伴う当り外れの判定は、図柄の当り確率が通常時のものであり、前述した確率変動時（高確率時）には、ＷＣ＿ＲＮＤ２の「３〜１２」の値が当り決定用のランダム数となる。
【００３０】
また、普通図柄の具体的な変動動作は、図１４に示す通りである。即ち、図１４において、通過玉検出器１９（同図中には、普通図柄始動玉検出器と記載）がＯＮすると、これと同時にＷＣ＿ＲＮＤ２の抽出及び格納が行われる。その後、通過玉検出器１９のＯＮから所定時間（０．００２秒）が経過すると、ＷＣ＿ＲＮＤ＿Ｆの抽出を行い、その０．００２秒後に普通図柄の変動を開始する。そして、通過玉検出器１９のＯＮから所定時間（２８．０００秒）後に変動を停止する。なお、図１４に示す※の確率変動時には、普通図柄の変動時間が５．２００秒に短縮される。そして、通常時に普通図柄が当りとなる場合には、図１５（Ａ）に示すように、普通図柄が停止してから所定時間（０．００２秒）後に普通可変入賞球装置５を０．５００秒間拡大開放する。その後、通過玉検出器１９への通過記憶がある場合には、普通可変入賞球装置５の閉鎖から０．００２秒後に、ＷＣ＿ＲＮＤ＿Ｆの抽出を行い、その０．００２秒後に再度普通図柄の変動を開始する。また、確率変動時に普通図柄が当りとなる場合には、図１５（Ｂ）に示すように、普通図柄が停止してから所定時間（０．００２秒）が経過すると普通可変入賞球装置５を２．２００秒間拡大開放し、３．０００秒のインターバルを置いた後に再度２．２００秒間拡大開放する。その後、通過玉検出器１９への通過記憶がある場合には、普通可変入賞球装置５の閉鎖から０．００２秒後に、ＷＣ＿ＲＮＤ＿Ｆの抽出を行い、その０．００２秒後に再度普通図柄の変動を開始する。
【００３１】
以上のように、本実施形態に係る特別可変表示装置３０は、リーチ３・４を実行する場合、表示結果を導出する以前に一旦大当り図柄を停止表示するようになっている。また、このようなリーチ３・４に対しては、大当りし易い印象を遊技者に与えた上で、確率変動時の通常図柄では逆に大当り信頼度を低く設定し、その出現率を高くしている。つまり、大当りするか否かよりも確変図柄で大当りするか否か、言い換えれば確率変動の発生期間が延長されるか否かに遊技者の関心がある確率変動時では、通常図柄を一旦停止表示した後に再変動して外れ図柄を導出するという変動態様の出現率を高くしている。このため、確率変動中の遊技者に対して、確率変動の期間延長がないと一旦思わせた後に外れ図柄を導出することで、確率変動の期間延長の可能性が残されたことを痛感させることができ、ひいては遊技の射幸性を向上するようになっている。なお、この射幸性向上の効果は、通常図柄を一旦停止表示した後に図柄を再変動するだけの構成からでも得られるものである。例えば、再変動後の表示結果が一旦停止時の通常図柄と同一の場合でも、図柄を再変動した時点で確率変動の期間延長の可能性があると遊技者に思わせることができる。
【００３２】
また、上記した実施形態では、再変動を最終停止図柄である中図柄に対してのみ行っているが、これに限らず一部乃至全部の図柄に対して再変動するものであればよい。例えば、全ての図柄を再変動する場合には、確変図柄が表示結果として導出される可能性があるため、より一層遊技の射幸性が向上できる。また、実施形態中では、リーチ３・４における大当り図柄の一旦停止表示を確率変動時の通常図柄以外に対しても行っているが、この構成に限定するものではない。例えば、確率変動時の通常図柄に対してのみ一旦停止表示を行う構成とした場合には、確変図柄で当ったと思わせた後に再変動する変動態様がないため、遊技者を失望させることがない。また、通常図柄を一旦停止表示した後に図柄を再変動するリーチ変動の態様は、実施形態中に記載のもの（リーチ３・４）に限定しない。例えば、再変動後の変動態様として、大当り該当図柄を一旦停止乃至低速変動した後、その他の図柄を高速変動する態様を複数回繰り返すもの（これを俗に「シスコリーチ」という）であってもよい。
【００３３】
また、上記した実施形態は、本発明を限定するものではなく、本発明の範囲内で種々の変更が可能である。例えば、本実施形態では可変表示装置をＬＣＤ表示器にて構成しているが、特にこれに限定するものではなく、ＣＲＴ、ＬＥＤ、ＶＦＤ、ＥＬ、あるいはプラズマ等の画像表示器や、ドラム式、ルーフ式、又はベルト式の表示器で構成することも可能である。また、弾球遊技機の構成として、始動玉検出器の入賞検出に伴って可変表示装置での識別情報の変動を開始し、該識別情報が所定の表示結果となると特定遊技状態を発生して可変入賞球装置を開放する弾球遊技機（これを俗に第１種という）を例示しているが、特にこれに限定するものではなく、始動玉検出器の入賞検出に伴って可変表示装置での識別情報の変動を開始し、該識別情報が所定の表示結果となると権利発生状態となり、この状態で特定領域に打玉が入賞すると特定遊技状態を発生する弾球遊技機（これを俗に第３種という）であってもよい。また、弾球遊技機全体をＬＣＤ表示器等の表示装置で構成してもよい。即ち「打玉」「可変入賞球装置」等の構成部材を疑似的に表示器に表示することで弾球遊技機を構成することも可能である。なお、この場合では、賞球の払出しを得点等で代行してもよい。
【００３４】
また、上記実施形態では、特別遊技状態を確率変動制御としているが、これに限定するものではなく、例えば、特別図柄乃至普通図柄に対しての変動時間の短縮制御又は確率変動制御を特別遊技状態としてもよい。また、電役の開放期間の延長制御、特別図柄乃至普通図柄に対しての始動通過領域の増設制御（例えば、普通入賞口を特別図柄の始動入賞口として設定変更する制御）、賞球数の増加制御（例えば、入賞に伴う賞球を通常時の１３個から１５個に増加する制御）、あるいは所定領域への通過率向上制御（例えば、始動入賞口の上流側に打玉規制装置を設け、該打玉規制装置の作動により始動入賞率を向上する制御）を特別遊技状態としてもよく、さらには前記第３種に本発明を適用した場合には、特定領域への入賞率向上制御を特別遊技状態としてもよい。
【図面の簡単な説明】
【００３５】
【図１】本発明の一実施形態における遊技盤を示す正面図である。
【図２】同図（Ａ）は特別可変表示装置での図柄変動に用いられる各種ランダム数の一覧表図であり、同図（Ｂ）は選択されたランダム数によって特別図柄の当り外れを決定する動作を説明するための簡単なフローチャートである。
【図３】左・中・右の特別図柄の種類を示す一覧表図である。
【図４】大当り図柄の種類を示す一覧表図である。
【図５】同図（Ａ）は変動パターンを示す一覧表図であり、同図（Ｂ）は条件１〜３を示す一覧表図である。
【図６】左右の各図柄の変動動作とリーチ以外での中図柄の変動動作を示すタイムチャートである。
【図７】リーチ１・２での中図柄の変動動作を示すタイムチャートである。
【図８】リーチ３・４での中図柄の変動動作を示すタイムチャートである。
【図９】通常確率時におけるリーチ種類選択用の※２を示す一覧表図である。
【図１０】確率変動時におけるリーチ種類選択用の※２を示す一覧表図である。
【図１１】同図（Ａ）は特定遊技状態における特別可変入賞球装置の開放動作を示すタイムチャートであり、同図（Ｂ）は確変図柄の導出に伴う確変動作を示すタイムチャートである。
【図１２】同図（Ａ）は特定遊技状態の終了後に特別図柄の始動記憶がある場合での特別図柄の変動動作を示すタイムチャートであり、同図（Ｂ）は特別図柄の変動停止後に特別図柄の始動記憶がある場合での特別図柄の変動動作を示すタイムチャートである。
【図１３】同図（Ａ）は普通図柄に用いられる各種ランダム数の一覧表図であり、同図（Ｂ）は普通図柄の種類を示す説明図であり、同図（Ｃ）は選択されたランダム数によって普通図柄の当り外れを決定する動作を説明するための簡単なフローチャートである。
【図１４】普通図柄の始動検出に伴って普通図柄が変動する動作を示すタイムチャートである。
【図１５】同図（Ａ）は通常時に普通図柄の当りによって普通可変入賞球装置が開放する動作を示すタイムチャートであり、同図（Ｂ）は確率変動時に普通図柄の当りによって普通可変入賞球装置が開放する動作を示すタイムチャートである。
【符号の説明】
【００３６】
１  遊技盤
３  遊技領域
５  普通可変入賞球装置
６  始動玉検出器
９  特別可変入賞球装置
１０  入賞領域
１３  特定玉検出器
１４  入賞玉検出器
１９  通過玉検出器
３０  特別可変表示装置
３３ａ〜３３ｃ  特別図柄表示部
３４  普通図柄表示器
３５  普通図柄記憶表示ＬＥＤ
３６  特別図柄記憶表示ＬＥＤ